(57)【要約】【課題】工期の短縮及びコストの低減を図ることができ、且つ壁内におけるカビの発生を抑制することができる木造住宅の壁構造を提供する。【解決手段】壁パネル２０を複数枚の中間材３０を介して下地ボード１０の表面に貼り付け、中間材３０で形成される溝部３１と、下地ボード１０間に形成される空気層１１とを連通する複数の連通部１５を設け、溝部３１と空気層１１との間で連通部１５を介して空気が循環するように構成する。【選択図】図１
2014043748.tif 000002
【特許請求の範囲】
【請求項１】
土台上に所定間隔で立設された複数の間柱に対して固定された所定材料からなる下地ボードと、
所定間隔で配置された複数枚の中間材を介して前記下地ボードの表面に貼り付けられ、当該下地ボードとは異なる材料からなる複数枚の板材を積層した壁パネルと、
を備えると共に、
前記下地ボードの外側に前記中間材で形成される空間である溝部と、前記下地ボードの内側に形成される空間である空気層とを連通する複数の連通部を備え、前記溝部と前記空気層との間で前記連通部を介して空気が循環するように構成されていることを特徴とする木造住宅の壁構造。
【請求項２】
請求項１に記載の木造住宅の壁構造において、
前記連通部が、壁の上端付近及び下端付近にそれぞれ設けられていることを特徴とする木造住宅の壁構造。
【請求項３】
請求項１又は２に記載の木造住宅の壁構造において、
前記連通部が、前記下地ボードに形成された貫通孔であることを特徴とする木造住宅の壁構造。
【請求項４】
請求項１〜３の何れか一項に記載の木造住宅の壁構造において、
前記中間材及び前記壁パネルが、比重０．３以下の桐板で形成されていることを特徴とする木造住宅の壁構造。
【請求項５】
請求項１〜４の何れか一項に記載の木造住宅の壁構造において、
前記壁パネルが、木目を交差させて３枚の板材を張り合わせた３層クロス張り構造を有すると共に前記内側の板材の木目方向が横目方向であると共に外側の板材の木目方向が縦目方向である合板が複数枚積層されてなることを特徴とする木造住宅の壁構造。
【請求項６】
請求項１〜５の何れか一項に記載の木造住宅の壁構造において、
前記壁パネルは、複数枚積み重ねられて木造住宅の壁を構成し、
外壁用の前記壁パネルには、上端面と外壁面との角部に雨水排出テーパが形成されていること特徴とする木造住宅の壁構造。
【請求項７】
請求項６に記載の木造住宅の壁構造において、
前記雨水排出テーパの傾斜角度が、１５°〜２０°であることを特徴とする木造住宅の壁構造。
【発明の詳細な説明】
【技術分野】
【０００１】
本発明は、いわゆる枠組壁工法等のように構造用パネルを用いた木造住宅の壁構造に関する。
【背景技術】
【０００２】
従来、木造住宅の建築工法として、いわゆる枠組壁工法等のように、構造用パネルを用いて住宅の強度を確保する工法がある。例えば、土台上に立設された間柱に構造用パネルを固定し、この構造用パネルに対して外壁材や内壁材を、断熱材や防水シート等を介して固定する。そして外壁材の表面が、例えば、サイディングやモルタル等によって仕上げられ、内壁材の表面が、例えば、クロス張り等によって仕上げられる。これにより、木造住宅の壁が形成される。
【０００３】
このような従来の木造住宅の壁構造では、壁内部に断熱材等を充填する等の作業が、建築現場で大工や別々の工事業者の手によって行われる。このため、工期が長くなり、またそれに伴って施工費用も高くなるという問題がある。
【０００４】
このような問題を解決するために、近年では、様々な木造住宅の壁構造が提案されている。例えば、外装下地層（構造用合板）の表面に、胴縁で形成された通気層を介して第１耐火層等が接合された外壁構造があります（特許文献１参照）。
【先行技術文献】
【特許文献】
【０００５】
【特許文献１】特開２０１１−２５６５３６号公報
【発明の概要】
【発明が解決しようとする課題】
【０００６】
ここで、特許文献１に記載のような外壁構造を採用することで、従来構造に比べると施工が容易になっているかもしれないが、まだまだ構造は複雑であり、工期が長い、高コストといった問題がある。さらに特許文献１に記載の壁構造では、構造パネルである内装下地層と外層下地層との間に断熱材が充填されており、壁内には通気層のみが空間として存在する。このため、通気層に湿気が溜まり易く、結露によって壁内にカビが発生するといった問題が生じる虞がある。
【０００７】
本発明はこのような事情に鑑みて発明されたものであり、工期の短縮及びコストの低減を図ることができ、且つ壁内におけるカビの発生を抑制することができる木造住宅の壁構造を提供することを目的とする。
【課題を解決するための手段】
【０００８】
上記課題を解決する本発明の第１の態様は、土台上に所定間隔で立設された複数の間柱に対して固定された所定材料からなる下地ボードと、所定間隔で配置された複数枚の中間材を介して前記下地ボードの表面に貼り付けられ、当該下地ボードとは異なる材料からなる複数枚の板材を積層した壁パネルと、を備えると共に、前記下地ボードの外側に前記中間材で形成される空間である溝部と、前記下地ボードの内側に形成される空間である空気層とを連通する複数の連通部を備え、前記溝部と前記空気層との間で前記連通部を介して空気が循環するように構成されていることを特徴とする木造住宅の壁構造にある。
【０００９】
かかる第１の態様では、下地ボードと壁パネルとの間に複数の溝部が存在することで、壁パネルが下地ボードと異なる材料で形成されている場合でも、壁パネルの反りが抑制される。さらに、溝部と空気層とを連通する連通部を備え、溝部と空気層との間で連通部を介して空気が循環することで、溝部或いは空気層内に湿気が溜まりにくくなる。
【００１０】
本発明の第２の態様は、第１の態様の木造住宅の壁構造において、前記連通部が、壁の上端付近及び下端付近にそれぞれ設けられていることを特徴とする木造住宅の壁構造にある。
【００１１】
かかる第２の態様では、溝部と空気層との間で連通部を介して空気が循環され易くなる。
【００１２】
本発明の第３の態様は、第１又は２の態様の木造住宅の壁構造において、前記連通部が、前記下地ボードに形成された貫通孔であることを特徴とする木造住宅の壁構造にある。
【００１３】
かかる第３の態様では、溝部と空気層とを確実に連通させて、これら溝部と空気層との間で空気をより良好に循環させることができる。
【００１４】
本発明の第４の態様は、第１〜３の何れか一つの態様の木造住宅の壁構造において、前記中間材及び前記壁パネルが、比重０．３以下の桐板で形成されていることを特徴とする木造住宅の壁構造にある。
【００１５】
かかる第４の態様では、壁パネルがこのような桐板で形成されていることで、断熱材を使用することなく、所望の断熱性能を確保することができる。
【００１６】
本発明の第５の態様は、第１〜４の何れか一つの態様の木造住宅の壁構造において、前記壁パネルが、木目を交差させて３枚の板材を張り合わせた３層クロス張り構造を有すると共に前記内側の板材の木目方向が横目方向であると共に外側の板材の木目方向が縦目方向である合板が複数枚積層されてなることを特徴とする木造住宅の壁構造にある。
【００１７】
かかる第５の態様では、壁パネルの強度を向上でき且つ反りの発生を抑えることができる。
【００１８】
本発明の第６の態様は、第１〜５の何れか一つの態様の木造住宅の壁構造において、前記壁パネルは、複数枚積み重ねられて木造住宅の壁を構成し、外壁用の前記壁パネルには、上端面と外壁面との角部に雨水排出テーパが形成されていること特徴とする木造住宅の壁構造にある。
【００１９】
かかる第６の態様では、屋外用の壁パネルに付着した雨水を排出し易くなり、溝部や空気層に湿気がより溜まりにくくなる。
【００２０】
本発明の第７の態様は、第６の態様の木造住宅の壁構造において、前記雨水排出テーパの傾斜角度が、１５°〜２０°であることを特徴とする木造住宅の壁構造にある。
【００２１】
かかる第７の態様では、屋外用の壁パネルに付着した雨水を効果的に排出することができる。
【発明の効果】
【００２２】
本発明によれば、木造住宅を建築する際に、壁の施工が容易になり、工期の短縮や施工費用の削減を図ることができる。さらに、下地ボードに貼り付けた壁パネルの反りを効果的に抑制することができると共に、壁の内部での結露に起因するカビの発生を抑制することができる。
【図面の簡単な説明】
【００２３】
【図１】本発明の一実施形態に係る木造住宅の壁構造を示す斜視図である。
【図２】本発明の一実施形態に係る木造住宅の壁構造を示す横断面図である。
【図３】本発明の一実施形態に係る木造住宅の壁構造を示す縦断面図である。
【図４】本発明の一実施形態に係る木造住宅の壁構造における連通部を説明する斜視図である。
【図５】本発明の一実施形態に係る木造住宅の壁構造における雨水排出テーパを説明する拡大断面図である。
【発明を実施するための形態】
【００２４】
以下、本発明の一実施形態について図面を参照して詳細に説明する。
図１〜図３に示すように、本発明に係る木造住宅の外壁１及び内壁２は、それぞれ、所定材料からなる下地ボード１０と、下地ボード１０とは異なる材料からなる壁パネル２０と、を備えている。
【００２５】
下地ボード１０は、土台上に所定間隔で立設された複数の間柱１００に対して固定されている。外壁１を構成する下地ボード１０Ａと内壁２を構成する下地ボード１０Ｂとの間には、これらの下地ボード１０Ａ，１０Ｂと、各間柱１００とで形成される空間である空気層１１が形成されている。この下地ボード１０は、木造住宅の構造用部材として用いられるものであり、その材料としては、例えば、構造用合板、構造用パネル（ＯＳＢ）、パーティクルボード等が用いられる。
【００２６】
壁パネル２０は、外壁１を構成する外壁パネル２１と、内壁２を構成する内壁パネル２２とを含む。外壁パネル２１は下地ボード１０Ａに貼り付けられ、内壁パネル２２は下地ボード１０Ｂに貼り付けられている。なお図示は省略するが、下地ボード１０と壁パネル２０との間には、例えば、例えばタイベックスシート（商品名：デュポン社製）等の耐水シートが設けられている。
【００２７】
これらの壁パネル２０（外壁パネル２１及び内壁パネル２２）は、複数枚の桐板を積層することによって形成されている。例えば、壁パネル２０は、複数枚（例えば、３枚）の桐板が張り合わされた第１〜第３の桐合板２３〜２５を積層することによって形成されている。
【００２８】
第１〜第３の桐合板２３〜２５は、各桐板が集成材からなり各桐板の木目を交差させて張り合わせた３層クロス張り構造を有するものであることが好ましい。特に、内側の桐板の木目方向を横目方向（壁パネル２０の短手方向）とし、外側の桐板の木目方向を縦目方向（壁パネル２０の長手方向）とすることが好ましい。なお桐板として一枚板を用いると十分な強度が得られない虞がある。
【００２９】
なお本実施形態では、壁パネル２０が３枚の桐合板（第１〜第３の桐合板２３〜２５）で構成されているが、壁パネル２０を構成する桐合板の枚数は特に限定されず、２枚以下であってもよいし、４枚以上であってもよい。壁パネル２０を構成する桐合板の枚数は、例えば、気象条件等の建築場所の環境や、住宅を音楽教室として使用するといった住宅の使用方法等に応じて適宜決定されればよい。
【００３０】
このように第１〜第３の桐合板２３〜２５、つまり積層された複数枚の桐板で構成される壁パネル２０は、例えば、断熱性、耐火性、耐力等の各種特性に優れる。例えば、全世界の寒冷地、猛暑地に対応可能な断熱性を確保することができる。また一般的に、桐材はやわらかく建材にすることが難しいと考えられているが、桐の集成材によって形成された桐合板からなる壁パネル２０は、建材としても十分な強度を有するものである。さらに、このような構造の壁パネル２０は、反りの発生が効果的に抑えられるため、上記の各種特性を長期に亘って良好に維持することができる。
【００３１】
そして、これらの壁パネル２０（外壁パネル２１及び内壁パネル２２）を積み重ねて下地ボード１０Ａ，１０Ｂに固定した後、例えば、外壁パネル２１を構成する第１の桐合板２３の表面に、例えば、植物性オイル等からなる桐専用外壁弾性遮熱塗料を塗布することで外壁１が形成される。一方、内壁パネル２２の第３の桐合板２５の表面に、例えば、桐無垢仕上材４０を貼り付けることで内壁２が形成される。
【００３２】
このように、本発明に係る外壁１及び内壁２は、下地ボード１０に対して桐板からなる壁パネル２０を貼り付けるという比較的簡単な構造であるため、施工が容易となり工期の短縮を図ることができると共にコストの削減を図ることができる。また、壁パネル２０によって所望の断熱性能を確保することができるため、空気層１１に断熱材を充填する必要がない。つまり無機質な断熱材を全く使用することなく、所望の断熱性能を確保した受託を実現することができる。このように無機質な断熱材を使用しないことで、壁内におけるカビの発生を抑制することができる。
【００３３】
また、この空気層１１内に、配管２００や、電線や電話線等のケーブル２１０等を収容するスペースを容易に確保することができる（図１参照）。つまり、パイプスペース、ケーブルスペースを、断熱材を損なうこと無く施すことができる。さらに空気層１１内に、電線や電話線等のケーブル２１０等が収容されていることで、例えば、鼠等によるケーブル２１０等の破損を防止することができるという効果もある。
【００３４】
ところで、本発明の木造住宅の壁構造において、外壁１及び内壁２を構成する各壁パネル２０は、所定間隔で配された中間材３０を介して各下地ボード１０の表面に固定されている。各中間材３０は、本実施形態では、略水平方向に沿って所定間隔で設けられ、外壁１及び内壁２の上下方向（略鉛直方向）に亘って連続的に設けられている。その結果、下地ボード１０と各壁パネル２０との間には、複数の溝部３１が形成されている。溝部３１は、各中間材３０と下地ボード１０及び壁パネル２０とで画成された空間である。
【００３５】
このように下地ボード１０と壁パネル２０との間に複数の溝部３１が存在することで、壁パネル２０の反りを抑制することができる。壁パネル２０は下地ボード１０とは異なる材料で形成されているが、このような構成の場合でも、溝部３１が存在することで、壁パネル２０の反りを効果的に抑制することができる。
【００３６】
また外壁１及び内壁２を構成する各下地ボード１０（１０Ａ，１０Ｂ）には、例えば、図４に示すように、各溝部３１と、空気層１１とを連通する複数の貫通孔１２で構成される連通部１５が設けられている。これにより、各溝部３１及び空気層１１の内部に存在する空気が、例えば、図３中に矢印で示すように、貫通孔１２を介して循環するようになっている。これにより、各溝部３１及び空気層１１の内部に湿気が溜まりにくく、各溝部３１及び空気層１１の内部での結露の発生が抑制される。結果として、溝部３１や空気層１１の内部におけるカビの発生を抑制することができる。また壁内部の空気循環によって、壁パネル２０は、外気温や室内温度に影響され難い構造となっている。
【００３７】
このような連通部１５を構成する貫通孔１２は、各溝部３１及び空気層１１の内部に存在する空気を循環させることができれば、何れの位置に設けられていてもよいが、例えば、各下地ボード１０の上端付近及び下端付近に設けられていることが好ましい。これにより、各溝部３１及び空気層１１の内部全体の空気を効果的に循環させることができる。
【００３８】
なお壁パネル２０の上下端面のそれぞれには、長手方向に沿って垂直面２６が形成されている。すなわち、壁パネル２０の上下端面は、第１の桐合板２３側が第３の桐合板２５側よりも高さが低くなっている。これにより、隙間を極力少なくした状態で壁パネル２０を積み上げることができる。したがって、断熱性等の特性に優れた外壁１及び内壁２を形成することができる。また外壁パネル２１の隙間からの雨水等の侵入を効果的に抑制することができる。したがって、溝部３１や空気層１１内でのカビの発生をより確実に抑制できる。
【００３９】
さらに本実施形態では、図５に示すように、外壁パネル２１の上端面２１ａと外壁面２１ｂとが交差する角部に、雨水排出テーパ２７が形成されている。この雨水排出テーパ２７の傾斜角度は、特に限定されないが、外壁パネル２１の上端面２１ａに対する角度θが１５°〜２０°であることが好ましい。このような雨水排出テーパ２７が設けられていることで、外壁パネル２１の隙間に流れ込む雨水が、内部に侵入することなく効果的に外部に排出される。したがって、溝部３１や空気層１１内でのカビの発生をさらに確実に抑制することができる。
【００４０】
以上本発明の実施形態について説明したが、勿論、本発明は、発明の主旨を逸脱しない範囲であれば、これらの実施形態に限定されるものではない。
【００４１】
例えば、上述の実施形態では、複数の中間材３０を略水平方向に所定間隔で設けた構成を例示したが、中間材３０の並設方向は特に限定されない。中間材３０は、例えば、壁パネル２０の高さ方向（鉛直方向）に並設されていてもよい。
【００４２】
また上述の実施形態では、連通部１５として、下地ボード１０に形成した複数の貫通孔１２を例示したが、連通部１５は空気層１１と溝部３１との間で空気を循環させることができるものであれば、その構成は特に限定されるものではない。例えば、連通部１５は、下地ボード１０と梁等の他部材との間に形成した隙間であってもよい。
【符号の説明】
【００４３】
１  外壁
２  内壁
１０  下地ボード
１１  空気層
１２  貫通孔
１５  連通部
２０  壁パネル
２１  外壁パネル
２２  内壁パネル
２３  第１の桐合板
２４  第２の桐合板
２５  第３の桐合板
２６  垂直面
２７  雨水排出テーパ
３０  中間材
３１  溝部
４０  桐無垢仕上材
１００  間柱
２００  配管
２１０  ケーブル
【図１】
2014043748.tif 000003
【図２】
2014043748.tif 000004
【図３】
2014043748.tif 000005
【図４】
2014043748.tif 000006
【図５】
2014043748.tif 000007